(57)【要約】【課題】  細断後の紙片を集めて元の用紙を復元することを難しくする。【解決手段】  シュレッダのフレーム１０に、互いに平行な２本のカッターシャフト１２ａ，１２ｂが回転可能に取り付けられている。カッターシャフト１２ａは、紙の切断時にモータ１３により回転駆動され、他方のカッターシャフト１２ｂは、ベルトその他の回転伝達機構により、カッターシャフト１２ａの回転に従って回転する。カッターシャフト１２ａには、紙を切断可能なリングブレード１４ａ，１６ａとスペーサリング１８ａが周期的に固定されている。同様に、カッターシャフト１２ｂにも、リングブレード１４ｂ，１６ｂとスペーサリング１８ｂが周期的に固定されている。リングブレード１４ａ，１４ｂ，１６ａ，１６ｂの刃面は、周方向に波状にうねっている。【選択図】  図１
2008119571.tif 000002
【特許請求の範囲】
【請求項１】
シュレッダの細断機構であって、
紙切断の際に回転する第１のカッターシャフト（１２ａ）と、
当該第１のカッターシャフトの軸方向に装備される複数の第１の波状リングブレード（１４ａ，１６ａ）
とを具備することを特徴とする細断機構。
【請求項２】
当該第１の波状リングブレードが、周方向で波打っていることを特徴とする請求項１に記載の細断機構。
【請求項３】
当該第１の波状リングブレードが、周方向で鋸歯状であることを特徴とする請求項１に記載の細断機構。
【請求項４】
更に、
当該第１のカッターシャフトに平行に配置され、当該紙切断の紙に回転数r第２のカッターシャフト（１２ｂ）と、
当該第２のカッターシャフトの軸方向に装備される複数の第２の波状リングブレード（１４ｂ，１６ｂ）
とを具備し、当該第１の波状リングブレードと、当該第２の波状リングブレードが互いに密接に配置され、当該第１の波状リングブレードと当該第２の波状リングブレードとの間に入る紙を切断する
ことを特徴とする請求項１に記載の細断機構。
【請求項５】
当該第1及び第２の波状リングブレードが、周方向で波打っていることを特徴とする請求項４に記載の細断機構。
【請求項６】
当該第１及び第２の波状リングブレードが、周方向で鋸歯状であることを特徴とする請求項４に記載の細断機構。
【発明の詳細な説明】
【技術分野】
【０００１】
本発明は、紙を細断する装置、いわゆるシュレッダの細断機構に関する。
【背景技術】
【０００２】
現代化した事務環境の中で、紙を細断するシュレッダは、既に欠くことが出来ない事務用品の一つになっている。事務資料の機密保持を高める為には、シュレッダが必須である。
【０００３】
図９は、従来のシュレッダの細断機構の平面図を示す。カッターシャフト５２ａ，５２ｂが互いに平行に配置され、その一方又は両方が紙の切断時には図示しないモータにより回転駆動される。
【０００４】
カッターシャフト５２ａには、紙を切断可能なリング状の平坦な刃からなるリングブレード５４ａ，５６ａとスペーサリング５８ａが周期的に固定されている。同様に、カッターシャフト５２ａと平行に配置されたカッターシャフト５２ｂにも、リングブレード５４ｂ，５６ｂとスペーサリング５８ｂが周期的に固定されている。そして、リングブレード５４ａとリングブレード５６ｂとがそれらの側面同士で接触し、リングブレード５６ａとリングブレード５４ｂとがそれらの側面同士で接触する。このような側面接触の位置関係となるように、リングブレード５４ａ，５６ａ間の間隔、リングブレード５４ｂ，５６ｂ間の間隔、スペーサリング５８ａ，５８ｂの長さを設定する。通常は、リングブレード５４ａ，５６ａ間の間隔は、リングブレード５４ｂ，５６ｂ間の間隔に等しい。
【０００５】
切断したい用紙をカッターシャフト５２ａ，５２ｂ間に挿入することで、その紙は、リングブレード５４ａ，５６ｂとリングブレード５４ｂ，５６ａとで短冊状に切断される。
【発明の開示】
【発明が解決しようとする課題】
【０００６】
従来例では、用紙は、一定幅で細長く細断されるので、記載された内容を頼りに横に並べることで、容易に元の状態に復元でき、記載内容を読み取ることができるようになる。すなわち、機密保持性能が劣る。
【０００７】
本発明は、このような問題点を解決し、細断後の復元を困難にする細断機構を提示することを目的とする。
【課題を解決するための手段】
【０００８】
本発明に係る細断機構は、シュレッダの細断機構であって、紙切断の際に回転する第１のカッターシャフトと、当該第１のカッターシャフトの軸方向に装備される複数の第１の波状リングブレードとを具備することを特徴とする。
【発明の効果】
【０００９】
本発明によれば、紙の切断に波状リングブレードを使用するので、細断後の紙片歯、波状リングブレードの波の形状に従って、幅が変動するものとなる。従って、細断後の紙片を事後的に集めて元の用紙を復元することが難しくなり、資料の機密保持性が高まる。
【発明を実施するための最良の形態】
【００１０】
以下、図面を参照して、本発明の実施例を詳細に説明する。
【００１１】
図１は、本発明の一実施例である細断機構の平面図を示す。図２は、細断機構の一部の斜視図を示し、図３は、その分解斜視図を示す。
【００１２】
シュレッダのフレーム１０に、互いに平行な２本のカッターシャフト１２ａ，１２ｂが回転可能に取り付けられている。カッターシャフト１２ａは、紙の切断時にモータ１３により回転駆動され、他方のカッターシャフト１２ｂは、ベルトその他の回転伝達機構により、カッターシャフト１２ａの回転に従って回転する。
【００１３】
カッターシャフト１２ａには、紙を切断可能なリングブレード１４ａ，１６ａとスペーサリング１８ａが軸方向に周期的に固定されている。同様に、カッターシャフト１２ｂにも、リングブレード１４ｂ，１６ｂとスペーサリング１８ｂが軸方向に周期的に固定されている。後述するように、リングブレード１４ａ，１４ｂ，１６ａ，１６ｂの刃面は、周方向に波状にうねっており、リングブレード１４ａ，１４ｂ，１６ａ，１６ｂは、波状リングブレードと呼ぶことができる。
【００１４】
リングブレード１４ａとリングブレード１４ｂとがそれらの端面同士又は端面と側面で接触し、リングブレード１６ａとリングブレード１６ｂとがそれらの端面同士又は端面と側面で接触する。そして、対置されるリングブレード１４ａ，１４ｂ間及びリングブレード１６ａ，１６ｂ間で紙が切断されるように、カッターシャフト１２ａ，１２ｂ間の間隔を設定する。
【００１５】
細断後の平均的な用紙幅に応じて、リングブレード１４ａ，１６ａ（１４ｂ，１６ｂ）間の間隔及びスペーサリング１８ａ（１８ｂ）の長さを、適宜に決定する。
【００１６】
図４は、本実施例のリングブレード１４ａ，１４ｂ，１６ａ，１６ｂの斜視図を示し、図５は、平面図を示し、図６は、側面図を示す。リングブレード１４ａ，１４ｂ，１６ａ，１６ｂの刃面は、図６に明りょうに図示したように、周方向に波状にうねっている。このような波状の形状は、スタンピングプレスで形成できる。
【００１７】
リングブレード１４ａ，１４ｂ，１６ａ，１６ｂの中央には、カッターシャフト１２ａ，１２ｂが通る開口３０を空けてある。開口３０内に入りこむ突起３２を設け、この突起３２に対応して、カッターシャフト１２ａ，１２ｂには、図４に示すように、突起３２が密接に入りこむ、軸方向に延びる溝３４を形成してある。突起３２と溝３４の嵌合により、カッターシャフト１２ａ，１２ｂの回転に連れて、リングブレード１４ａ，１４ｂ，１６ａ，１６ｂも、カッターシャフト１２ａ，１２ｂを中心に回転する。
【００１８】
用紙を切断する際には、切断したい用紙をカッターシャフト１２ａ，１２ｂ間に挿入し、モータ１３を回転させる。これにより、挿入された用紙は、リングブレード１４ａ，１４ｂ及びリングブレード１６ａ，１６ｂにより、短冊状に切断される。
【００１９】
図７は、本実施例により細断された紙片の形状を示す。本実施例では、周方向で波状にうねった刃面を持つリングブレード１４ａ，１４ｂ，１６ａ，１６ｂを使用するのでは、図７に示すように、細断後の紙片は、その横幅が、リングブレード１４ａ，１４ｂ，１６ａ，１６ｂの波形状に応じて、変動する。細断された紙片が、このように長さ方向で横幅が変化するので、直線的に細断する従来例に比べ、細断後の紙片を集めても、元の用紙に復元するのが困難になる。復元の困難さから、機密保持性が高まる。
【００２０】
リングブレード１４ａ，１４ｂ，１６ａ，１６ｂの波の周期、並びに、カッターシャフト１２ａ，１２ｂ上でのリングブレード１４ａ，１４ｂ，１６ａ，１６ｂ間の距離、及びスペーサスリング１８ａ，１８ｂの長さ等は、細断後の紙片のサイズ等に対するニーズに応じて、適宜に決定される。
【００２１】
図８は、リングブレード１４ａ，１４ｂ，１６ａ，１６ｂの別の形状の側面図を示す。図８に示す例では、リングブレード１４ａ，１４ｂ，１６ａ，１６ｂの刃面を周方向に鋸刃状に変化させている。
【００２２】
２つのカッターシャフト上の刃が互いに対面して紙を切断する実施例を説明したが、勿論、一方のカッターシャフトを、紙の受け台に変更しても良い。その場合、紙の受け台上で紙を移動させ、その移動の間に残るカッターシャフトのリングブレードで紙を細断する。
【００２３】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２４】
【図１】本発明の一実施例である細断機構の平面図を示す。
【図２】細断機構の一部の斜視図を示す。
【図３】細断機構の一部の分解斜視図を示す。
【図４】リングブレード１４ａ，１４ｂ，１６ａ，１６ｂの斜視図を示す。
【図５】リングブレード１４ａ，１４ｂ，１６ａ，１６ｂの平面図を示す。
【図６】リングブレード１４ａ，１４ｂ，１６ａ，１６ｂの側面図を示す。
【図７】本実施例により細断された紙片の形状を示す。
【図８】リングブレード１４ａ，１４ｂ，１６ａ，１６ｂの別の形状の側面図を示す。
【図９】従来のシュレッダの細断機構の平面図を示す。
【符号の説明】
【００２５】
１０：フレーム
１２ａ，１２ｂ：カッターシャフト
１３：モータ
１４ａ，１４ｂ，１６ａ，１６ｂ：リングブレード
１８ａ，１８ｂ：スペーサリング
３０：開口
３２：突起
３４：溝
５２ａ，５２ｂ：カッターシャフト
５４ａ，５４ｂ：リングブレード
５６ａ，５６ｂ：リングブレード
５８ａ，５８ｂ：スペーサリング
【図１】
2008119571.tif 000003
【図２】
2008119571.tif 000004
【図３】
2008119571.tif 000005
【図４】
2008119571.tif 000006
【図５】
2008119571.tif 000007
【図６】
2008119571.tif 000008
【図７】
2008119571.tif 000009
【図８】
2008119571.tif 000010
【図９】
2008119571.tif 000011